(57)【要約】【課題】  簡単な構造でしかも操作が簡単で容易にスプリングを解いて分離できるようにし、コストダウンを図る。【解決手段】  入口２から入れられたスプリングＳの集合を収容可能な容器１を備え、容器１内でスプリングＳの絡みを解して解されたスプリングＳを出口３から排出可能にしたもので、容器１を入口を上にして出口を下にしたとき入れられたスプリングが入口から出口に向けて自由落下可能な筒状に形成し、容器１の内側面側に基端１１が支持され先端が下向きに延び入れられたスプリングＳが当接可能な複数の舌片１０を設け、この複数の舌片１０をスプリングＳが通過可能な間隔を有して設け、各舌片１０の基端１１を少なくとも容器１をその中心軸Ｐ方向に沿って往復動させることにより基端１１を支点として揺動可能に弾性支持した。【選択図】図６
2018111560.tif 000002
【特許請求の範囲】
【請求項１】
スプリングの入口及び出口を有し上記入口から入れられたスプリングの集合を収容可能な容器を備え、該容器内でスプリングの絡みを解して該解されたスプリングを上記出口から排出可能にしたスプリングの分離装置において、
上記容器を、一端側に上記入口を有し他端側に上記出口を有し該入口を上にして該出口を下にしたとき該入口から入れられたスプリングが該入口から該出口に向けて自由落下可能な筒状に形成し、該容器の内側面側に基端が支持され先端が下向きに延び入れられたスプリングが当接可能な複数の舌片を設け、該複数の舌片をスプリングが通過可能な間隔を有して設け、該各舌片の基端を少なくとも該容器をその中心軸方向に沿って往復動させることにより上記基端を支点として揺動可能に弾性支持したことを特徴とするスプリングの分離装置。
【請求項２】
上記複数の各舌片を、弾性変形可能なバネ部材で形成したことを特徴とする請求項１記載のスプリングの分離装置。
【請求項３】
上記複数の各舌片を、長手方向に沿って山部及び谷部が交互に連続する波型形状に折曲形成したことを特徴とする請求項１または２記載のスプリングの分離装置。
【請求項４】
上記山部の頂部を鋭角に形成したことを特徴とする請求項３記載のスプリングの分離装置。
【請求項５】
上記複数の各舌片の先端部を上記中心軸に向けて傾斜形成したことを特徴とする請求項１乃至４何れかに記載のスプリングの分離装置。
【請求項６】
上記複数の各舌片の基端を上記中心軸に直交する平面上の１つの内周線に沿って等間隔で設けたことを特徴とする請求項１乃至５何れかに記載のスプリングの分離装置。
【請求項７】
上記容器の内周に沿って付設される枠体を備え、該枠体に上記複数の各舌片の基端を等間隔で設けたことを特徴とする請求項６記載のスプリングの分離装置。
【請求項８】
上記複数の各舌片を同じ長さに形成するとともに該各舌片の全体を下向きに傾斜形成し、全部若しくは一部の複数の舌片の先端で囲繞されスプリングの１乃至数個が通過可能な通路を形成したことを特徴とする請求項６または７記載のスプリングの分離装置。
【請求項９】
１つの内周線に沿って基端が設けられる複数の舌片のグループを複数設け、隣接するグループにおいて舌片の基端の位置の位相をずらせたことを特徴とする請求項８記載のスプリングの分離装置。
【請求項１０】
１つのグループにおいて、複数の各舌片を同じ長さに形成するとともに該各舌片の全体を下向きに傾斜形成し、該各舌片の先端で囲繞されスプリングの１乃至数個が通過可能な通路を形成し、
隣接する他のグループにおいて、上記１つのグループと同じ数で互いに同じ長さの複数の舌片を設け、該複数の各舌片を、上記１つのグループの各舌片の下側に位置させるとともに、上記１つのグループの舌片間の周方向ピッチをＰとしたとき、（１／２）Ｐだけ位相をずらせて位置させたことを特徴とする請求項９記載のスプリングの分離装置。
【請求項１１】
上記舌片の上側に、上記入口から入れられたスプリングを受ける受け板を設け、該受け板に上記入口より小さい開口面積の通過口を複数形成したことを特徴とする請求項１乃至１０何れかに記載のスプリングの分離装置。
【請求項１２】
上記容器を円筒状に形成し、一端開口を入口として構成し、他端側を中心軸を中心としたロート状に形成し、他端をスプリングの１乃至数個が通過可能な出口として構成したことを特徴とする請求項１乃至１１何れかに記載のスプリングの分離装置。
【請求項１３】
上記入口を開閉する蓋を設けたことを特徴とする請求項１２記載のスプリングの分離装置。
【請求項１４】
上記容器を片手で把持して該容器を中心軸に沿って往復動可能な大きさに形成し、該容器を覆う布製のカバーを設けたことを特徴とする請求項１２または１３記載のスプリングの分離装置。
【発明の詳細な説明】
【技術分野】
【０００１】
本発明は、主にコイルスプリングからなるスプリングにおいて、絡み合った状態のスプリングの集合を、バラバラに解してスプリングの取り扱いを容易にするスプリングの分離装置に関する。
【背景技術】
【０００２】
一般に、例えば、各種機器にコイルスプリングを手作業で組付ける場合等、収納箱や袋等に入れられたスプリングの集合をトレー等に取り出して載せ、この集合からスプリングを一個ずつ分離して組み付けるようにする。この際、スプリングの集合においてはスプリング同士が絡み合った状態になっていることから、これを手作業でバラバラに解（ほぐ）して分離して、トレーに並べる等するが、手で解す分離作業は煩雑で、作業効率を損ねる。そのため、従来から、スプリングの絡みを解して分離するスプリングの分離装置が用いられている。
【０００３】
従来、この種のスプリングの分離装置としては、例えば、特開２００６−６９７９７号公報（特許文献１）に掲載されたもの等が知られている。
図８に示すように、この分離装置Ｔａは、スプリング（図示せず）の入口１０１及び出口１０２を有し入口１０１から入れられたスプリングの集合を収容可能な容器１００を備え、この容器１００内でスプリングの絡みを解して解されたスプリングを出口１０２から排出可能にしたものである。容器１００の下端面には、上面に突起１０３が設けられた回転板１０４が備えられている。また、容器１００の内側面にも突起１０５が設けられている。そして、入口１０１から内部にスプリングを入れ、回転板１０４をモータ１０６で回転させ、スプリングを突起１０３，１０５により跳ね飛ばし、絡まったスプリングを解いて分離し、出口１０２から取り出すようにしている。
この種の、モータ１０６を回転させて内部の突起１０３，１０５によりスプリングの絡みを解くタイプの分離装置は、その他、例えば、特開平５−７２０号公報に掲載されたもの等が挙げられ、従来から多々知られている。
【０００４】
また、特許文献１には、図示しないが、分離装置として、回転盤に替えて容器内に圧縮空気を噴出させるタイプの装置も掲載されている。この分離装置は、容器の内周壁に突起部材を設け、入口から内部にスプリングを入れ、容器の底部付近に設けた空気噴出口から内部へ圧縮空気を噴出させ、スプリングを噴出空気と突起部材により跳ね飛ばし、絡まったスプリングを解いて分離し、出口から取り出すようにしている。
この種の、エアを吹き込んでスプリングの絡みを解くタイプの分離装置は、その他、例えば、特開２０１２−１２１６７０号公報に掲載されたもの等が挙げられ、従来から多々知られている。
【先行技術文献】
【特許文献】
【０００５】
【特許文献１】特開２００６−６９７９７号公報
【特許文献２】特開平５−７２０号公報
【特許文献３】特開２０１２−１２１６７０号公報
【発明の概要】
【発明が解決しようとする課題】
【０００６】
ところで、上記従来のモータ１０６を回転させて内部の突起１０３，１０５によりスプリングの絡みを解くタイプの分離装置や、エアを吹き込んでスプリングの絡みを解くタイプの分離装置においては、回転機構やエア噴射装置を設けなければならないので、それだけ、装置が複雑になり、コスト高になっているという問題があった。
本発明は上記の問題点に鑑みて為されたもので、簡単な構造でしかも操作が簡単で容易にスプリングを解いて分離できるようにし、コストダウンを図ったスプリングの分離装置を提供することを目的とする。
【課題を解決するための手段】
【０００７】
上記の目的を達成するための本発明のスプリングの分離装置は、スプリングの入口及び出口を有し上記入口から入れられたスプリングの集合を収容可能な容器を備え、該容器内でスプリングの絡みを解して該解されたスプリングを上記出口から排出可能にしたスプリングの分離装置において、
上記容器を、一端側に上記入口を有し他端側に上記出口を有し該入口を上にして該出口を下にしたとき該入口から入れられたスプリングが該入口から該出口に向けて自由落下可能な筒状に形成し、該容器の内側面側に基端が支持され先端が下向きに延び入れられたスプリングが当接可能な複数の舌片を設け、該複数の舌片をスプリングが通過可能な間隔を有して設け、該各舌片の基端を少なくとも該容器をその中心軸方向に沿って往復動させることにより上記基端を支点として揺動可能に弾性支持した構成としている。
【０００８】
これにより、例えば、各種機器にスプリングを手作業で組付ける場合等、収納箱や袋等に入れられたスプリングの集合からスプリングを一個ずつ分離して組み付けるようにする際には、以下のようにする。先ず、スプリングの集合を容器の入口から容器内に適宜量入れる。そして、容器の入口を上にし出口を下にして、この容器を例えば片手で持ち、中心軸方向に振って往復動させる。これにより、スプリングが上下動して舌片に当接するとともに、舌片自身も揺動するので、スプリングに繰り返し衝撃が与えられる。そのため、絡まったスプリングが解け、舌片の間隔から落下し、出口から排出されて行く。排出されたスプリングは、テーブル等に並べておけば、各種機器にスプリングを一個ずつ組み付ける作業を容易に行うことができる。この場合、容器を振るだけの簡易な操作で容易にスプリングの絡みを解いて分離できるので、作業性を大幅に向上させることができる。また、従来のようにモータを回転させたりエアを吹き込まなくても良いので、構造が極めて簡易であり、また、装置自体もコンパクトにすることができ、コストダウンを図ることができる。
【０００９】
そして、本発明においては、上記複数の各舌片を、弾性変形可能なバネ部材で形成することが有効である。舌片自体が弾性変形するので、この変形によってもスプリングに繰り返しの衝撃を与えることができ、分離効率を向上させることができる。
【００１０】
また、上記複数の各舌片を、長手方向に沿って山部及び谷部が交互に連続する波型形状に折曲形成したことが有効である。波型に形成されているので、舌片が凸凹していることから、スプリングの舌片に衝突する機会が多くなり、より一層、分離効率を向上させることができる。
【００１１】
更に、上記山部の頂部を鋭角に形成したことが有効である。山部がスプリングの隙間に入りやすく、そのため、分離させ易くなり、この点でも、より一層、分離効率を向上させることができる。
【００１２】
更にまた、上記複数の各舌片の先端部を上記中心軸に向けて傾斜形成したことが有効である。先端部が傾斜しているので、スプリングをはじき易く、また、スプリングの落下をスムーズに行わせることができる。
【００１３】
そしてまた、上記複数の各舌片の基端を上記中心軸に直交する平面上の１つの内周線に沿って等間隔で設けたことが有効である。スプリングの集合を受け易くなり、また、容器を上下に振ったときに、舌片への衝突の機会を確実に確保することができ、より一層、分離効率を向上させることができる。
【００１４】
また、上記容器の内周に沿って付設される枠体を備え、該枠体に上記複数の各舌片の基端を等間隔で設けたことが有効である。予め枠体に舌片を作製しておき、この枠体を容器に嵌合させて接着する等して付設するだけで装置を作製できるので、製造を容易にすることができ、この点でも、コストダウンを図ることができる。
【００１５】
更に、上記複数の各舌片を同じ長さに形成するとともに該各舌片の全体を下向きに傾斜形成し、全部若しくは一部の複数の舌片の先端で囲繞されスプリングの１乃至数個が通過可能な通路を形成した構成としている。舌片間の隙間から分離したスプリングを落下させ、また、中央の通路からも落下させることができる。この場合、通路は、スプリングの１乃至数個が通過可能な大きさなので、舌片全体でスプリングの集合を受け、少しずつ、落下させることができるので、確実に分離を行って排出させることができる。
【００１６】
更にまた、１つの内周線に沿って基端が設けられる複数の舌片のグループを複数設け、隣接するグループにおいて舌片の基端の位置の位相をずらせたことが有効である。段階的にスプリングを舌片に衝突させるので、より一層、分離効率を向上させることができる。
【００１７】
この場合、１つのグループにおいて、複数の各舌片を同じ長さに形成するとともに該各舌片の全体を下向きに傾斜形成し、該各舌片の先端で囲繞されスプリングの１乃至数個が通過可能な通路を形成し、
隣接する他のグループにおいて、上記１つのグループと同じ数で互いに同じ長さの複数の舌片を設け、該複数の各舌片を、上記１つのグループの各舌片の下側に位置させるとともに、上記１つのグループの舌片間の周方向ピッチをＰとしたとき、（１／２）Ｐだけ位相をずらせて位置させたことが有効である。
先のグループの舌片間から落下したスプリングが、後のグループの舌片に受けられるので、ここでもスプリングに衝撃を与えることができ、段階的に確実にスプリングを舌片に衝突させて分離させることができ、より一層、分離効率を向上させることができる。
【００１８】
更に、上記舌片の上側に、上記入口から入れられたスプリングを受ける受け板を設け、該受け板に上記入口より小さい開口面積の通過口を複数形成したことが有効である。複数の通過口から小分けしてスプリングの集合が舌片に落下するので、一時に舌片に落下する場合に比較して、スプリングが詰まることがなく、確実に分離を行うことができるようになる。
【００１９】
更にまた、上記容器を円筒状に形成し、一端開口を入口として構成し、他端側を中心軸を中心としたロート状に形成し、他端をスプリングの１乃至数個が通過可能な出口として構成したことが有効である。出口から、略一個ずつスプリングを排出することができ、その後の処理を容易にすることができる。
【００２０】
また、上記入口を開閉する蓋を設けたことが有効である。容器を振った際に入口からスプリングが飛び出る事態を防止することができる。
【００２１】
更に、上記容器を片手で把持して該容器を中心軸に沿って往復動可能な大きさに形成し、該容器を覆う布製のカバーを設けた構成としている。持ち易くすることができるとともに、外観品質を向上させることができる。
【発明の効果】
【００２２】
本発明によれば、容器を中心軸方向に振って往復動させスプリングの集合を上下動させるだけで、スプリングを舌片に当接させ、しかも、舌片自身も揺動するので、スプリングに衝撃を与えることができ、そのため、絡まったスプリングを解いて、出口から排出させることができる。そのため、容器を振るだけの簡易な操作で容易にスプリングの絡みを解いて分離できるので、作業性を大幅に向上させることができる。また、従来のようにモータを回転させたりエアを吹き込まなくても良いので、構造が極めて簡易であり、また、装置自体もコンパクトにすることができ、コストダウンを図ることができる。
【図面の簡単な説明】
【００２３】
【図１】本発明の実施の形態に係るスプリングの分離装置を使用する際の工程を示し、（ａ）はスプリングを容器内に入れるときの状態を示す斜視図、（ｂ）は容器を手で持って上下動させてスプリングを取り出すときの状態を示す斜視図である。
【図２】本発明の実施の形態に係るスプリングの分離装置を示す断面図である。
【図３】本発明の実施の形態に係るスプリングの分離装置において、容器内部に設けた受け板の斜視図及び複数の舌片のグループの一部切欠き斜視図である。
【図４】本発明の実施の形態に係るスプリングの分離装置において、容器内部に設けた複数の舌片のグループを示し、（ａ）は平面図、（ｂ）は（ａ）中Ａ−Ａ線断面図である。
【図５】本発明の実施の形態に係るスプリングの分離装置において、容器内部に設けた受け板を示し、（ａ）は平面図、（ｂ）は横断面図である。
【図６】本発明の実施の形態に係るスプリングの分離装置をその作用とともに示す縦断面図である。
【図７】本発明の実施の形態に係るスプリングの分離装置をその作用とともに示す図であり、（ａ）は図６中Ｘ−Ｘ線断面図、（ｂ）は図６中Ｙ−Ｙ線断面図である。
【図８】従来のスプリングの分離装置の一例を示す断面図である。
【発明を実施するための形態】
【００２４】
以下、添付図面に基づいて本発明の実施の形態に係るスプリングの分離装置について詳細に説明する。
図１に示すように、実施の形態に係るスプリングの分離装置Ｔは、コイルスプリングＳの集合を分離するものある。コイルスプリングＳは、軸方向に伸縮可能な螺旋状部Ｓａと、螺旋状部Ｓａの両端に連続するＵ字状のフック部Ｓｂとからなる。例えば、全長ＬがＬ＝１０ｍｍ〜３０ｍｍ、螺旋状部Ｓａの直径ＤがＤ＝３ｍｍ〜１０ｍｍのものである。尚、形状や大きさはこれに限定されない。
【００２５】
図１乃至図７に示すように、本発明の実施の形態に係るスプリングの分離装置Ｔは、スプリングＳの入口２及び出口３を有し入口２から入れられたスプリングＳの集合を収容可能な容器１を備え、この容器１内でスプリングＳの絡みを解し、解されたスプリングＳを出口３から排出可能にしている。
【００２６】
容器１は、図１，図２及び図６に示すように、例えば、プラスチックで形成され、一端側に入口２を有し他端側に出口３を有し、入口２を上にして出口３を下にしたとき入口２から入れられたスプリングＳが入口２から出口３に向けて自由落下可能な筒状に形成されている。また、容器１は、片手で把持してその中心軸Ｐに沿って往復動可能な大きさの円筒状に形成されている。そして、容器１は、一端開口が入口２として構成され、他端側は中心軸Ｐを中心としたロート状に形成されており、他端がスプリングＳの１乃至数個が通過可能な筒状の出口３として構成されている。
【００２７】
更に、容器１には、入口２を開閉する蓋５が設けられている。蓋５は、容器１の外径と同径の円盤状の把持部６と、把持部６の一方の面に突設され容器１の入口２に嵌着可能な円盤状の凸部７とを備えている。更にまた、容器１には、これを覆う布製のカバー８が設けられている。蓋５の把持部も布製のカバー９で覆われている。布製のカバー８，９を設けたので、持ち易くすることができるとともに、外観品質を向上させることができる。
【００２８】
容器１には、図２乃至図４、図６及び図７（ｂ）に示すように、容器１の内側面側に基端が支持され先端が下向きに延び入れられたスプリングＳが当接可能な複数の舌片１０が設けられている。複数の舌片１０は、スプリングＳが通過可能な間隔を有して設けられており、各舌片１０の基端１１を少なくとも容器１をその中心軸Ｐ方向に沿って往復動させることにより基端１１を支点として揺動可能に弾性支持した構成としている。詳しくは、複数の各舌片１０は、弾性変形可能なバネ部材で形成されている、実施の形態では、薄肉のプラスチック板で形成されている。また、複数の各舌片１０は、長手方向に沿って山部１２及び谷部１３が交互に連続する波型形状に折曲形成されている。更に、山部１２の頂部は、鋭角に形成されている。更にまた、複数の各舌片１０の先端部１４は、中心軸Ｐに向けて傾斜形成されている。
【００２９】
そしてまた、複数の各舌片１０の基端１１は、中心軸Ｐに直交する平面上の１つの内周線Ｑに沿って等間隔で設けられている。詳しくは、容器１の内周に沿って付設されるプラスチック製の枠体１５を備え、この枠体１５に複数の各舌片１０の基端１１が等間隔で一体に設けられている。枠体１５は、例えば、接着剤等により、容器１の内面に固着されている。更に、複数の各舌片１０は、同じ長さに形成されているとともに、各舌片１０は全体が下向きに傾斜形成され、全部若しくは一部の舌片１０の先端により囲繞されスプリングＳの１乃至数個が通過可能な通路１６を形成している。
【００３０】
詳しくは、図４に示すように、１つの内周線Ｑに沿って基端１１が設けられる複数の舌片１０のグループが複数設けられており、隣接するグループにおいて舌片１０の基端１１の位置の位相をずらせてある。実施の形態では、２つのグループが設けられている。１つのグループＧ１においては、複数の各舌片１０（Ａ）が同じ長さに形成されるとともに、各舌片１０（Ａ）は全体が下向きに傾斜形成され、各舌片１０（Ａ）の先端により、これに囲繞されスプリングＳの１乃至数個が通過可能な通路１６を形成している。
【００３１】
隣接する他のグループＧ２において、１つのグループＧ１と同じ数で互いに同じ長さの複数の舌片１０（Ｂ）を設け、この複数の各舌片１０（Ｂ）を、１つのグループＧ１の各舌片１０（Ｂ）の下側に位置させるとともに、１つのグループＧ１の舌片１０（Ａ）間の周方向ピッチをＰとしたとき、（１／２）Ｐだけ位相をずらせてある。この場合、予め枠体１５に舌片１０を作製しておき、この枠体１５を容器１に嵌合させて接着する等して付設するだけで装置を作製できるので、製造を容易にすることができ、コストダウンを図ることができる。
【００３２】
また、容器１において、図２，図３，図５，図６及び図７（ａ）に示すように、舌片１０の上側には、入口２から入れられたスプリングＳを受けるプラスチック製の受け板２０が設けられている。受け板２０には、入口２より小さい開口面積の通過口２１が複数形成されている。実施の形態では、受け板２０は、底壁２２及び上向きの側壁２３を備えたカップ状に形成され、側壁２３及びこれに連続する底壁２２の一部分が、等角度間隔（実施の形態では９０°間隔）で切除されており、底壁２２の切除部分が通過口２１として構成されている。底壁２２の中央部分２４は上側に膨出形成されている。そして、側壁２３が容器１の内周に付設され、接着剤等で固着されている。
【００３３】
従って、本発明の実施の形態に係るスプリングの分離装置Ｔを用い、例えば、各種機器にスプリングＳを手作業で組付ける場合等、収納箱や袋等に入れられたスプリングＳの集合からスプリングＳを一個ずつ分離して組み付けるようにする際には、以下のようにする。
先ず、図１（ａ）及び図６に示すように、スプリングＳの集合を容器１の入口２から容器１内に適宜量入れる。そして、容器１の入口２を蓋５で塞ぐ。
【００３４】
この状態で、図１（ｂ）に示すように、容器１の入口２を上にし出口３を下にして、この容器１を例えば片手で持ち、中心軸Ｐ方向に振って往復動させる。この場合、入口２を開閉する蓋５を設けたので、容器１を振った際に入口２からスプリングＳが飛び出る事態を防止することができる。また、図６及び図７（ａ）に示すように、舌片１０の上側には入口２から入れられたスプリングＳを受ける受け板２０が設けられ、受け板２０には、入口２より小さい開口面積の通過口２１が複数形成されているので、容器１の往復動によりスプリングＳが上下動し、複数の通過口２１から小分けされて舌片１０に落下していく。そのため、一時に舌片１０に落下する場合に比較して、スプリングＳが詰まることが防止され、以下の分離を確実に行うことができるようになる。
【００３５】
そして、図６及び図７（ｂ）に示すように、通過口２１を通過したスプリングＳは、容器１の往復動により上下動し、舌片１０に当接するとともに、舌片１０自身も揺動するので、スプリングＳに繰り返し衝撃が与えられる。そのため、絡まったスプリングＳが解けて行き、各舌片１０の全体は下向きに傾斜形成されているので、舌片１０間の隙間から分離したスプリングＳが落下し、また、中央の通路１６からも落下して行き、出口３から排出されて行く。
【００３６】
この場合、複数の各舌片１０は弾性変形可能なバネ部材で形成されているので、舌片１０自体も弾性変形することから、この変形によってもスプリングＳに繰り返しの衝撃を与えることができ、分離効率を向上させることができる。また、複数の各舌片１０は、山部１２及び谷部１３が交互に連続する波型形状に形成されているので、舌片１０が凸凹していることから、スプリングＳの舌片１０に衝突する機会が多くなり、より一層、分離効率を向上させることができる。更に、山部１２の頂部が鋭角に形成されているので、山部１２がスプリングＳの隙間に入りやすく、そのため、分離させ易くなり、この点でも、より一層、分離効率を向上させることができる。また、複数の各舌片１０の先端部１４が中心軸Ｐに向けて傾斜形成されているので、スプリングＳをはじき易く、また、スプリングＳの落下をスムーズに行わせることができる。
【００３７】
特に、複数の各舌片１０は、その基端１１が中心軸Ｐに直交する平面上の１つの内周線Ｑに沿って等間隔で設けられているので、スプリングＳの集合を受け易くなり、また、容器１を上下に振ったときに、舌片１０への衝突の機会を確実に確保することができ、この点でも、分離効率を向上させることができる。また、舌片１０の上側のグループＧ１と下側のグループＧ２とを設けたので、先のグループＧ１の舌片１０（Ａ）間から落下したスプリングＳが、後のグループＧ２の舌片１０（Ｂ）に受けられ、ここでもスプリングＳに衝撃を与えることができることから、段階的に確実にスプリングＳを舌片１０に衝突させて分離させることができ、そのため、分離効率を向上させることができる。また、上側のグループＧ１で形成する通路１６は、スプリングＳの１乃至数個が通過可能な大きさなので、舌片１０（Ａ）全体でスプリングＳの集合を受け、少しずつ、落下させることができることから、確実にスプリングＳの分離を行って排出させることができる。更に、容器１の他端側はロート状に形成されているので、出口３から、略一個ずつスプリングＳを排出することができ、その後の処理を容易にすることができる。
【００３８】
そして、排出されたスプリングＳは、テーブル等に並べておけば、各種機器にスプリングＳを一個ずつ組み付ける作業を容易に行うことができる。このように、本分離装置Ｔによれば、容器１を振るだけの簡易な操作で容易にスプリングＳの絡みを解いて分離できるので、作業性を大幅に向上させることができる。また、従来のようにモータを回転させたりエアを吹き込まなくても良いので、構造が極めて簡易であり、また、装置自体もコンパクトにすることができ、コストダウンを図ることができる。
【００３９】
尚、上記の実施の形態において、１つのグループＧ１の各舌片１０（Ａ）と、他のグループＧ２の各舌片１０（Ｂ）とは、同じ内周線Ｑに沿って設けたが、必ずしもこれに限定されるものではなく、上下に異なる位置にある内周線Ｑに沿って設けても良く、適宜変更して差支えない。また、グループの数も３以上設けても良いことは勿論である。更に、上記の実施の形態において、舌片１０の設け方は上述した構造に限定されるものではなく、例えば、ランダムに容器１の内面から突出させる等、適宜変更して差支えない。
【００４０】
更にまた、上記の実施の形態では、容器１を手動で往復動させるように構成したが、必ずしもこれに限定されるものではなく、自動で往復動させるように構成しても良く、適宜変更して差支えない。要するに、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００４１】
Ｔ  分離装置
Ｓ  スプリング
１  容器
２  入口
３  出口
Ｐ  中心軸
５  蓋
８  カバー
９  カバー
１０  舌片
１１  基端
Ｑ  内周線
１２  山部
１３  谷部
１４  先端部
１５  枠体
Ｇ１  １つのグループ（舌片１０（Ａ）のグループ）
Ｇ２  他のグループ（舌片１０（Ｂ）のグループ）
１６  通路
２０  受け板
２１  通過口
【図１】
2018111560.tif 000003
【図２】
2018111560.tif 000004
【図３】
2018111560.tif 000005
【図４】
2018111560.tif 000006
【図５】
2018111560.tif 000007
【図６】
2018111560.tif 000008
【図７】
2018111560.tif 000009
【図８】
2018111560.tif 000010
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
スプリングの入口及び出口を有し上記入口から入れられたスプリングの集合を収容可能な容器を備え、該容器内でスプリングの絡みを解して該解されたスプリングを上記出口から排出可能にしたスプリングの分離装置において、
上記容器を、一端側に上記入口を有し他端側に上記出口を有し該入口を上にして該出口を下にしたとき該入口から入れられたスプリングが該入口から該出口に向けて自由落下可能な筒状に形成し、該容器を片手で把持して該容器を中心軸に沿って往復動可能な大きさに形成し、該容器の内側面側に基端が支持され先端が下向きに延び入れられたスプリングが当接可能な複数の舌片を設け、該複数の舌片をスプリングが通過可能な間隔を有して設け、該容器をその中心軸方向に沿って往復動させることにより、上記各舌片の各基端を支点として該各舌片を揺動可能に弾性支持し、上記各舌片を、弾性変形可能なバネ部材で形成し、上記各舌片の先端部を上記中心軸に向けて傾斜形成し、上記舌片の上側に、上記入口から入れられたスプリングを受ける受け板を設け、該受け板に上記入口より小さい開口面積の通過口を複数形成し、上記入口を開閉する蓋を設けたことを特徴とするスプリングの分離装置。
【請求項２】
上記複数の各舌片を、長手方向に沿って山部及び谷部が交互に連続する波型形状に折曲形成したことを特徴とする請求項１記載のスプリングの分離装置。
【請求項３】
上記複数の各舌片の基端を上記中心軸に直交する平面上の１つの内周線に沿って等間隔で設けたことを特徴とする請求項１または２記載のスプリングの分離装置。
【請求項４】
上記容器を円筒状に形成し、一端開口を入口として構成し、他端側を中心軸を中心としたロート状に形成し、他端をスプリングの１乃至数個が通過可能な出口として構成したことを特徴とする請求項１乃至３何れかに記載のスプリングの分離装置。
【手続補正２】
【補正対象書類名】明細書
【補正対象項目名】０００７
【補正方法】変更
【補正の内容】
【０００７】
上記の目的を達成するための本発明のスプリングの分離装置は、スプリングの入口及び出口を有し上記入口から入れられたスプリングの集合を収容可能な容器を備え、該容器内でスプリングの絡みを解して該解されたスプリングを上記出口から排出可能にしたスプリングの分離装置において、
上記容器を、一端側に上記入口を有し他端側に上記出口を有し該入口を上にして該出口を下にしたとき該入口から入れられたスプリングが該入口から該出口に向けて自由落下可能な筒状に形成し、該容器の内側面側に基端が支持され先端が下向きに延び入れられたスプリングが当接可能な複数の舌片を設け、該複数の舌片をスプリングが通過可能な間隔を有して設け、該容器をその中心軸方向に沿って往復動させることにより、上記各舌片の各基端を支点として該各舌片を揺動可能に弾性支持した構成としている。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００２８
【補正方法】変更
【補正の内容】
【００２８】
容器１には、図２乃至図４、図６及び図７（ｂ）に示すように、容器１の内側面側に基端が支持され先端が下向きに延び入れられたスプリングＳが当接可能な複数の舌片１０が設けられている。複数の舌片１０は、スプリングＳが通過可能な間隔を有して設けられており、容器１をその中心軸Ｐ方向に沿って往復動させることにより、各舌片１０の各基端１１を支点として各舌片１０は揺動可能に弾性支持されている。詳しくは、複数の各舌片１０は、弾性変形可能なバネ部材で形成されている、実施の形態では、薄肉のプラスチック板で形成されている。また、複数の各舌片１０は、長手方向に沿って山部１２及び谷部１３が交互に連続する波型形状に折曲形成されている。更に、山部１２の頂部は、鋭角に形成されている。更にまた、複数の各舌片１０の先端部１４は、中心軸Ｐに向けて傾斜形成されている。
【手続補正６】
【補正対象書類名】明細書
【補正対象項目名】００３１
【補正方法】変更
【補正の内容】
【００３１】
隣接する他のグループＧ２において、１つのグループＧ１と同じ数で互いに同じ長さの複数の舌片１０（Ｂ）を設け、この複数の各舌片１０（Ｂ）を、１つのグループＧ１の各舌片１０（Ａ）の下側に位置させるとともに、１つのグループＧ１の舌片１０（Ａ）間の周方向ピッチをＰとしたとき、（１／２）Ｐだけ位相をずらせてある。この場合、予め枠体１５に舌片１０を作製しておき、この枠体１５を容器１に嵌合させて接着する等して付設するだけで装置を作製できるので、製造を容易にすることができ、コストダウンを図ることができる。
【手続補正７】
【補正対象書類名】明細書
【補正対象項目名】００４０
【補正方法】変更
【補正の内容】
【００４０】
本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【手続補正書】
【提出日】平成29年11月30日(2017.11.30)
【手続補正１】
【補正対象書類名】特許請求の範囲
【補正対象項目名】請求項１
【補正方法】変更
【補正の内容】
【請求項１】
スプリングの入口及び出口を有し上記入口から入れられたスプリングの集合を収容可能な容器を備え、該容器内でスプリングの絡みを解して該解されたスプリングを上記出口から排出可能にしたスプリングの分離装置において、
上記容器を、一端側に上記入口を有し他端側に上記出口を有し該入口を上にして該出口を下にしたとき該入口から入れられたスプリングが該入口から該出口に向けて自由落下可能な筒状に形成し、該容器を片手で把持して該容器を中心軸に沿って往復動可能な大きさに形成し、該容器の内側面側に基端が支持され先端が下向きに延び入れられたスプリングが当接可能な複数の舌片を設け、該複数の舌片をスプリングが通過可能な間隔を有して設け、該容器をその中心軸方向に沿って往復動させることにより、上記各舌片の各基端を支点として該各舌片を揺動可能に弾性支持し、上記各舌片を、弾性変形可能なバネ部材で形成し、上記各舌片の先端部を上記中心軸に向けて傾斜形成し、上記舌片の上側に、上記入口から入れられたスプリングを受ける受け板を設け、該受け板を、スプリングを受ける中央部分と、該中央部分の周囲に形成され上記入口より小さい開口面積の複数の通過口とを備えて構成し、上記入口を開閉する蓋を設けたことを特徴とするスプリングの分離装置。
【手続補正２】
【補正対象書類名】明細書
【補正対象項目名】００１８
【補正方法】変更
【補正の内容】
【００１８】
更に、上記舌片の上側に、上記入口から入れられたスプリングを受ける受け板を設け、該受け板を、スプリングを受ける中央部分と、該中央部分の周囲に形成され上記入口より小さい開口面積の複数の通過口とを備えて構成したことが有効である。複数の通過口から小分けしてスプリングの集合が舌片に落下するので、一時に舌片に落下する場合に比較して、スプリングが詰まることがなく、確実に分離を行うことができるようになる。
【手続補正３】
【補正対象書類名】明細書
【補正対象項目名】００３２
【補正方法】変更
【補正の内容】
【００３２】
また、容器１において、図２，図３，図５，図６及び図７（ａ）に示すように、舌片１０の上側には、入口２から入れられたスプリングＳを受けるプラスチック製の受け板２０が設けられている。受け板２０には、入口２より小さい開口面積の通過口２１が複数形成されている。実施の形態では、受け板２０は、底壁２２及び上向きの側壁２３を備えたカップ状に形成され、側壁２３及びこれに連続する底壁２２の一部分が、等角度間隔（実施の形態では９０°間隔）で切除されており、底壁２２の切除部分が通過口２１として構成されている。底壁２２の中央部分２４は上側に膨出形成されている。そして、側壁２３が容器１の内周に付設され、接着剤等で固着されている。即ち、受け板２０は、スプリングＳを受ける中央部分２４と、中央部分２４の周囲に形成され入口２より小さい開口面積の複数の通過口２１とを備えて構成されている。